【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
支持体および該支持体上に設けられた感光層を有する電子写真感光体において、
該感光層が下記式（１）で示される構造を有するビスアゾ顔料を含有することを特徴とする電子写真感光体。
【化１】
2006154386.tif 000001
（式（１）中、Ａは単結合または２価の結合基を表し、Ｃｐ１およびＣｐ２はフェノール性水酸基を有するカプラー残基を表す。）
【請求項２】
前記式（１）中のＡが単結合、Ｏ、ＣＯ、Ｓ、ＳＯ、ＳＯ２、ＣＨ２またはＣ（ＣＦ３）２である請求項１記載の電子写真感光体。
【請求項３】
前記式（１）中のＡが単結合、ＣＯまたはＣＨ２である請求項２記載の電子写真感光体。
【請求項４】
前記式（１）中のＣｐ１およびＣｐ２が、各々独立に、下記式（２）、下記式（３）、下記式（４）および下記式（５）からなる群より選ばれる１つの式で示されるカプラー残基である請求項１〜３の何れかに記載の電子写真感光体。
【化２】
2006154386.tif 000002
（式（２）中、Ｘはベンゼン環と縮合して多環芳香環または複素環を形成するのに必要な残基を表し、Ｒ１及びＲ２は、各々独立に、水素原子、置換もしくは無置換のアルキル基、置換もしくは無置換のアリール基または置換もしくは無置換の複素環基を表す。また、Ｒ１とＲ２は式（２）中の窒素原子を介して環状アミノ基を形成してもよい。Ｚ１は酸素原子または硫黄原子を表し、ｍ１は０または１を表す。）
【化３】
2006154386.tif 000003
（式（３）中、Ｙは置換もしくは無置換の２価の芳香族炭化水素環基または置換もしくは無置換の２価の含窒素複素環基を表す。）
【化４】
2006154386.tif 000004
（式（４）中、Ｒ３は水素原子、ハロゲン原子、シアノ基、カルボキシル基、アルコキシカルボニル基、カルバモイル基またはニトロ基を表し、Ｒ４は置換もしくは無置換のアルキル基または置換もしくは無置換のアリール基を表し、Ｒ５はハロゲン原子、置換もしくは無置換のアルキル基、置換もしくは無置換のアルコキシ基、シアノ基またはニトロ基を表し、ｌは０〜２の整数を表し、ｌ＝２の時、Ｒ５は相異なる基であってもよい。）
【化５】
2006154386.tif 000005
（式（５）中、Ｒ６及びＲ７は、各々独立に、水素原子、置換もしくは無置換のアルキル基、置換もしくは無置換のアリール基または置換もしくは無置換の複素環基を表す。また、Ｒ６とＲ７は式（５）中の窒素原子を介して環状アミノ基を形成してもよい。Ｚ２は酸素原子または硫黄原子を表し、ｍ２は０または１を表す。）
【請求項５】
前記式（１）中のＣｐ１およびＣｐ２が前記式（５）で示されるカプラー残基である請求項４記載の電子写真感光体。
【請求項６】
前記式（５）中のＲ６が水素原子であり、Ｒ７が置換基を有してもよいフェニル基であり、Ｚ２が酸素原子である請求項５記載の電子写真感光体。
【請求項７】
前記式（５）中のｍ２が１である請求項６記載の電子写真感光体。
【請求項８】
請求項１〜７の何れかに記載の電子写真感光体と、帯電手段、露光手段、現像手段および転写手段を装着した電子写真装置。
【請求項９】
前記露光手段が３８０〜５００ｎｍの発振波長を有する半導体レーザーを用いた露光手段である請求項８記載の電子写真装置。
【請求項１０】
請求項１〜７の何れかに記載の電子写真感光体と、帯電手段、現像手段およびクリーニング手段からなる群より選ばれる少なくとも１つの手段とを一体に支持し、電子写真装置本体に着脱自在であるプロセスカートリッジ。
【手続補正２】
【補正対象書類名】明細書
【補正対象項目名】０００６
【補正方法】変更
【補正の内容】
【０００６】
本発明者らは、上記目的を達成すべくアゾ顔料における様々な中心骨格を多数合成し評価を通じて鋭意検討した結果、電子写真感光体においてある特定構造のアミン成分を中心骨格に用いた場合に高感度でかつ耐久電位変動が小さいことを見出し上記課題を解決することができた。
すなわち本発明に従って、支持体および該支持体上に設けられた感光層を有する電子写真感光体において、
該感光層が下記式（１）で示される構造を有するビスアゾ顔料を含有することを特徴とする電子写真感光体が提供される。
【化１】
2006154386.tif 000006
（式（１）中、Ａは単結合または２価の結合基を表し、Ｃｐ１およびＣｐ２はフェノール性水酸基を有するカプラー残基を表す。）
また、本発明に従って、上記電子写真感光体と、帯電手段、露光手段、現像手段および転写手段を装着した電子写真装置が提供される。
また、本発明に従って、上記電子写真感光体と、帯電手段、現像手段およびクリーニング手段からなる群より選ばれる少なくとも１つの手段とを一体に支持し、電子写真装置本体に着脱自在であるプロセスカートリッジが提供される。
【手続補正３】
【補正対象書類名】明細書
【補正対象項目名】００１１
【補正方法】変更
【補正の内容】
【００１１】
電荷発生物質としては、本発明に係る下記式（１）で示されるビスアゾ顔料が用いられる。
【化２】
2006154386.tif 000007
式（１）中、Ａは単結合または２価の結合基を表し、Ｃｐ１およびＣｐ２はフェノール性水酸基を有するカプラー残基を表す。
より好ましくは、上記式（１）において、Ａが単結合、Ｏ、ＣＯ、Ｓ、ＳＯ、ＳＯ２、ＣＨ２、またはＣ（ＣＦ３）２である場合が挙げられる。さらにより好ましくは、上記式（１）において、Ａが単結合、ＣＯまたはＣＨ２である場合が挙げられる。
【手続補正４】
【補正対象書類名】明細書
【補正対象項目名】００１２
【補正方法】変更
【補正の内容】
【００１２】
また、上記式（１）において、Ｃｐ１およびＣｐ２はフェノール性水酸基を有するカプラー残基であれば何れのものも用いることができる。
より好ましくは、上記式（１）におけるＣｐ１およびＣｐ２は、下記式（２）、下記式（３）、下記式（４）、下記式（５）で表されるものが挙げられる。
【化３】
2006154386.tif 000008
式（２）中、Ｘはベンゼン環と縮合して多環芳香環または複素環を形成するのに必要な残基を表し、Ｒ１及びＲ２は、各々独立に、水素原子、置換もしくは無置換のアルキル基、置換もしくは無置換のアリール基または置換もしくは無置換の複素環基を表す。また、Ｒ１とＲ２は式（２）中の窒素原子を介して環状アミノ基を形成してもよい。Ｚ１は酸素原子または硫黄原子を表し、ｍ１は０または１を表す。
Ｒ１及びＲ２のアルキル基としては、メチル、エチル及びプロピルなどの基、アリール基としてはフェニル、ナフチル及びアンスリルなどの基、複素環基としてはピリジル、チエニル、カルバゾリル、ベンゾイミダゾリル及びベンゾチアゾリルなどの基、窒素原子を環内に含む環状アミノ基としてはピロール、ピロリン、ピロリジン、ピロリドン、インドール、インドリン、カルバゾール、イミダゾール、ピラゾール、ピラゾリン、オキサジン及びフェノキサジンなどが挙げられる。
これらの基が有してもよい置換基としては、メチル、エチル、プロピル及びブチルなどのアルキル基、メトキシ、エトキシ及びプロポキシなどのアルコキシ基、フッ素原子、塩素原子及び臭素原子などのハロゲン原子、ジメチルアミノ及びジエチルアミノなどのジアルキルアミノ基、フェニルカルバモイル基、ニトロ基、シアノ基及びトリフルオロメチルなどのハロメチル基などが挙げられる。なお、このフェニルカルバモイル基のフェニル基は前述のような置換基をさらに有してもよい。
【化４】
2006154386.tif 000009
式（３）中、Ｙは置換もしくは無置換の２価の芳香族炭化水素環基または置換もしくは無置換の２価の含窒素複素環基を表す。
Ｙの２価の芳香族炭化水素環基及び含窒素複素環基としては、ｏ−フェニレン、ｏ−ナフチレン、ペリナフチレン、１，２−アンスリル、３，４−ピラゾールジイル、２，３−ピリジンジイル、４，５−ピリジンジイル、６，７−イミダゾールジイル及び６，７−キノリンジイルなどの２価の基が挙げられる。
Ｙが有してもよい置換基としては、メチル、エチル、プロピル及びブチルなどのアルキル基、メトキシ、エトキシ及びプロポキシなどのアルコキシ基、フッ素原子、塩素原子及び臭素原子などのハロゲン原子、ジメチルアミノ及びジエチルアミノなどのジアルキルアミノ基、水酸基、ニトロ基、シアノ基及びハロメチル基などが挙げられる。
【化５】
2006154386.tif 000010
式（４）中、Ｒ３は水素原子、ハロゲン原子、シアノ基、カルボキシル基、アルコキシカルボニル基、カルバモイル基またはニトロ基を表し、Ｒ４は置換もしくは無置換のアルキル基または置換もしくは無置換のアリール基を表し、Ｒ５はハロゲン原子、置換もしくは無置換のアルキル基、置換もしくは無置換のアルコキシ基、シアノ基またはニトロ基を表し、ｌは０〜２の整数を表し、ｌ＝２の時、Ｒ５は相異なる基であってもよい。Ｒ３、Ｒ４及びＲ５のハロゲン原子としては、塩素及び臭素など、アルコキシカルボニル基としては、メトキシカルボニル基及びエトキシカルボニル基など、カルバモイル基としては、カルバモイル基及びフェニルカルバモイル基など、アルキル基としては、メチル基、エチル基及びプロピル基など、アルコキシ基としては、メトキシ基及びエトキシ基など、アリール基としては、フェニル基、ナフチル基及びアンスリル基などが挙げられる。これらの基が有してもよい置換基としては、メチル、エチル、プロピル及びブチルなどのアルキル基、メトキシ、エトキシ及びプロポキシなどのアルコキシ基、フッ素原子、塩素原子及び臭素原子などのハロゲン原子、ジメチルアミノ及びジエチルアミノなどのジアルキルアミノ基、水酸基、ニトロ基、シアノ基及びハロメチル基などが挙げられる。
【化６】
2006154386.tif 000011
式（５）中、Ｒ６及びＲ７は、各々独立に、水素原子、置換もしくは無置換のアルキル基、置換もしくは無置換のアリール基または置換もしくは無置換の複素環基を表す。また、Ｒ６とＲ７は式（５）中の窒素原子を介して環状アミノ基を形成してもよい。Ｚ２は酸素原子または硫黄原子を表し、ｍ２は０または１を表す。
Ｒ６及びＲ７のアルキル基としては、メチル、エチル及びプロピルなどの基、アリール基としてはフェニル、ナフチル及びアンスリルなどの基、複素環基としてはピリジル、チエニル、カルバゾリル、ベンゾイミダゾリル及びベンゾチアゾリルなどの基、窒素原子を環内に含む環状アミノ基としてはピロール、ピロリン、ピロリジン、ピロリドン、インドール、インドリン、カルバゾール、イミダゾール、ピラゾール、ピラゾリン、オキサジン及びフェノキサジンなどが挙げられる。
これらの基が有してもよい置換基としては、メチル、エチル、プロピル及びブチルなどのアルキル基、メトキシ、エトキシ及びプロポキシなどのアルコキシ基、フッ素原子、塩素原子及び臭素原子などのハロゲン原子、ジメチルアミノ及びジエチルアミノなどのジアルキルアミノ基、水酸基、ニトロ基、シアノ基、アセチル基、フェニルカルバモイル基、ハロメチル基及びハロメトキシ基などが挙げられる。
より好ましくは、Ｒ６が水素原子、Ｒ７が置換基を有してもよいフェニル基の場合が挙げられる。フェニル基の置換基としては、アルキル基、ハロゲン原子、ニトロ基、シアノ基、アセチル基、トリフルオロメチル基、トリフルオロメトキシ基及びフェニルカルバモイル基等が挙げられる。なお、このフェニルカルバモイル基のフェニル基は前述のような置換基を更に有していてもよい。
また、全てのビスアゾ顔料の結晶形は結晶質であっても非晶質であってもよい。
【手続補正５】
【補正対象書類名】明細書
【補正対象項目名】００３３
【補正方法】変更
【補正の内容】
【００３３】
次に本発明の電子写真感光体を有するプロセスカートリッジの概略断面図の一例を図５に示す。
図５に示す装置では、少なくとも電子写真感光体１、コロナ帯電器２および現像手段４を容器３５に納めてプロセスカートリッジとし、そのプロセスカートリッジを電子写真装置本体のレールなどの案内手段３４を用いて着脱自在に構成している。クリーニング手段６は、容器３５内に配置しても配置しなくてもよい。
また、図６および図７に示すように、帯電手段として接触帯電部材２ａを用い、電圧印加された接触帯電部材２ａを電子写真感光体１に接触させることにより電子写真感光体１の帯電を行ってもよい（この帯電方法を、以下、接触帯電という）。図６および図７に示す装置では、電子写真感光体１上のトナー像も接触転写手段５ｉで転写材７ａに転写される。即ち、電圧印加された接触転写手段５ｉを転写材７ａに接触させることにより電子写真感光体１上のトナー像を転写材７ａに転写させる。
さらに、図７に示す装置では、少なくとも電子写真感光体１および接触帯電部材２ａを第１の容器３６に納めて第１のプロセスカートリッジとし、少なくとも現像手段４を第２の容器３７に納めて第２のプロセスカートリッジとし、これら第１のプロセスカートリッジと、第２のプロセスカートリッジとを着脱自在に構成している。クリーニング手段６は、容器３６内に配置しても配置しなくてもよい。